(57)【要約】【課題】運転訓練シミュレータ装置を用いて、実プラントの中央制御室と緊急時制御室／緊急時対策所（非常時制御室）などを連携した総合的な訓練を実施する。【解決手段】実施形態によれば、非常時制御室ユニット１７は、非常時制御室内表示装置４２と、非常時制御室内訓練用表示装置４４と、非常時制御室内実運転データ記憶装置５０と、非常時制御室内訓練データ記憶装置４５と、非常時制御室内表示装置４２等を実運転モードと訓練モードとの間で切り替える表示切替え器４６および表示操作切替え器４８と、切替え状態を表示するための表示切替え状態表示装置４７および表示操作切替え状態表示装置４９と、を備える。【選択図】図１
2018087746.tif 000002
【特許請求の範囲】
【請求項１】
原子力プラントを構成する複数のプラント機器を備えた少なくとも一つのプラント機器ユニットと、
中央制御室内に配置されて前記プラント機器ユニットそれぞれを制御するプラント制御装置および中央操作装置を含む少なくとも一つの中央制御室ユニットと、
前記中央制御室とは別の訓練センター内に配置されて、前記少なくとも一つの中央制御室ユニットを模擬する少なくとも一つの訓練センターユニットと、
前記中央制御室および前記訓練センターのいずれとも異なる非常時制御室内に配置された非常時制御室ユニットと、
を有する原子力プラントシステムであって、
前記訓練センターユニットそれぞれは、
前記プラント制御装置を模擬するプラント制御装置模擬装置と、
前記中央操作装置を模擬する訓練用中央操作装置と、
前記プラント制御装置模擬装置および前記訓練用中央操作装置の動作内容の履歴を記憶する訓練センター内データ記憶装置と、
を備え、
前記非常時制御室ユニットは、
前記プラント機器の状況を表示可能な非常時制御室内表示装置と、
前記プラント制御装置および前記中央操作装置の動作内容の履歴を記憶する非常時制御室内実運転データ記憶装置と、
前記プラント制御装置模擬装置および前記訓練用中央操作装置の動作内容の履歴を記憶する非常時制御室内訓練データ記憶装置と、
前記非常時制御室内表示装置を、前記プラント機器の状況を表示する実運転モードと、前記プラント制御装置模擬装置の状況を表示する訓練モードとの間で切り替える表示切替え器と、
前記表示切替え器が前記実運転モードか前記訓練モードかのいずれの状態にあるかを前記非常時制御室内表示装置に表示する表示切替え状態表示装置と、
を備えること、を特徴とする原子力プラントシステム。
【請求項２】
前記非常時制御室ユニットは、
前記中央制御室ユニットに接続された非常時制御室内実運転バスラインと、
前記訓練センターユニットに接続された非常時制御室内訓練切替えバスラインと、
をさらに備え、
前記表示切替え器は、前記実運転モードにおいては前記非常時制御室内表示装置および前記表示切替え状態表示装置を前記非常時制御室内実運転バスラインに接続し、前記訓練モードにおいては前記非常時制御室内表示装置および前記表示切替え状態表示装置を前記非常時制御室内訓練切替えバスラインに接続するように構成されていること、
を特徴とする請求項1に記載の原子力プラントシステム。
【請求項３】
当該原子力プラントシステムは、
前記中央制御室、前記訓練センターおよび前記非常時制御室のいずれとも異なる遠隔監視室内に配置されて、前記プラント機器の状況を表示可能な遠隔表示装置を備えた遠隔ユニット、
をさらに有し、
前記非常時制御室ユニットは、
前記実運転モードにおいては前記遠隔表示装置が前記プラント機器の状況を表示し、前記訓練モードにおいては前記遠隔表示装置が前記プラント制御装置模擬装置および前記中央操作装置の状況を表示するように切り替える遠隔表示切替え器と、
前記遠隔表示切替え器が前記実運転モードか前記訓練モードかのいずれの状態にあるかを前記遠隔表示装置に表示する遠隔表示切替え状態表示装置と、
を備えること、を特徴とする請求項１または請求項２に記載の原子力プラントシステム。
【請求項４】
前記中央制御室ユニットは、
前記プラント機器が所定の異常状況にあるか否かを判定して、前記プラント機器が前記所定の異常状況にある場合に、前記訓練モードから前記実運転モードへの切替えを指示する信号を発信するイベント判定装置、
をさらに備えること、を特徴とする請求項１ないし請求項３のいずれか一項に記載の原子力プラントシステム。
【請求項５】
前記少なくとも一つの中央制御室ユニットのそれぞれが、
前記中央制御室内の運転員が優先して対応すべき項目を選択して一つの画面に表示するためのＣＯＰ支援装置と、
前記ＣＯＰ支援装置によって構成された一つの画面を表示する中央制御室内ＣＯＰ表示装置と、
をさらに備え、
前記訓練センターユニットは、
前記ＣＯＰ支援装置を模擬するＣＯＰ支援装置模擬装置と、
前記ＣＯＰ支援装置模擬装置によって構成された一つの画面を表示する訓練センター内ＣＯＰ表示装置と、
をさらに備え、
前記非常時制御室ユニットは、
前記ＣＯＰ支援装置によって構成された画面を表示可能な非常時制御室内ＣＯＰ表示装置と、
前記実運転モードにおいては前記ＣＯＰ支援装置模擬装置によって構成された画面を前記非常時制御室内ＣＯＰ表示装置に表示し、前記訓練モードにおいては前記ＣＯＰ支援装置模擬装置によって構成された画面を前記非常時制御室内ＣＯＰ表示装置に表示するように切り替えるＣＯＰ表示切替え器と、
前記ＣＯＰ表示切替え器が前記実運転モードか前記訓練モードかのいずれの状態にあるかを前記非常時制御室内ＣＯＰ表示装置に表示するＣＯＰ表示切替え状態表示装置と、
をさらに備えること、を特徴とする請求項１ないし請求項４のいずれか一項に記載の原子力プラントシステム。
【請求項６】
前記非常時制御室ユニットは、前記原子力プラントの事故時に用いられる緊急時機器を制御する緊急時制御装置、をさらに備え、
前記訓練センターユニットは、
前記緊急時制御装置を模擬する緊急時制御装置模擬装置と、
前記緊急時制御装置模擬装置を操作する訓練用表示操作装置と、
をさらに備え、
前記非常時制御室ユニットは、
前記緊急時制御装置の状況を表示するとともに前記緊急時制御装置を操作することが可能な非常時制御室内表示操作装置と、
前記実運転モードにおいては前記非常時制御室内表示操作装置が前記緊急時制御装置の状況を表示するとともに前記緊急時制御装置を操作し、前記訓練モードにおいては前記非常時制御室内表示操作装置が前記緊急時制御装置模擬装置の状況を表示し操作するように切り替える表示操作切替え器と、
前記表示操作切替え器が前記実運転モードか前記訓練モードかのいずれの状態にあるかを前記非常時制御室内表示操作装置に表示する表示操作切替え状態表示装置と、
をさらに備えること、を特徴とする請求項１ないし請求項５のいずれか一項に記載の原子力プラントシステム。
【請求項７】
前記訓練センターユニットは、
前記緊急時機器と前記緊急時制御装置とを接続する緊急時機器接続装置を模擬する模擬緊急時機器接続装置、
をさらに備えること、を特徴とする請求項６に記載の原子力プラントシステム。
【請求項８】
前記訓練センターユニットは、
緊急時に前記プラント制御装置に接続されて前記プラント制御装置に電源を供給する緊急時電源接続装置を模擬する模擬緊急時電源接続装置、
をさらに備えること、を特徴とする請求項１ないし請求項７のいずれか一項に記載の原子力プラントシステム。
【請求項９】
前記訓練センターユニットは、
緊急時に前記プラント機器に接続されて前記プラント機器に給水する緊急時給水接続装置を模擬する模擬緊急時給水接続装置、
をさらに備えること、を特徴とする請求項１ないし請求項８のいずれか一項に記載の原子力プラントシステム。
【請求項１０】
複数の前記中央制御室ユニットと、
複数の前記訓練センターユニットと、
前記訓練センター内に配置されて前記複数の訓練センターユニットを相互に接続する訓練センター内連携装置と、
を有すること、を特徴とする請求項１ないし請求項９のいずれか一項に記載の原子力プラントシステム。
【請求項１１】
前記非常時制御室ユニットは、前記訓練モードにおいて前記少なくとも一つの中央制御室ユニットを模擬する少なくとも一つの非常用訓練ユニットを接続可能な非常用訓練ユニット接続部をさらに備えていること、を特徴とする請求項１ないし請求項１０のいずれか一項に記載の原子力プラントシステム。
【請求項１２】
原子力プラントを構成する複数のプラント機器を備えた少なくとも一つのプラント機器ユニットと、
中央制御室内に配置されて前記プラント機器ユニットそれぞれを制御するプラント制御装置および中央操作装置を含む少なくとも一つの中央制御室ユニットと、
前記中央制御室とは別の訓練センター内に配置されて、前記少なくとも一つの中央制御室ユニットを模擬する少なくとも一つの訓練センターユニットと、
前記中央制御室および前記訓練センターのいずれとも異なる非常時制御室内に配置された非常時制御室ユニットと、
を有する原子力プラントシステムを用いた訓練方法であって、
前記訓練センターユニットそれぞれは、
前記プラント制御装置を模擬するプラント制御装置模擬装置と、
前記中央操作装置を模擬する訓練用中央操作装置と、
前記プラント制御装置模擬装置および前記訓練用中央操作装置の動作内容の履歴を記憶する訓練センター内データ記憶装置と、
を備え、
前記非常時制御室ユニットは、
前記プラント機器の状況を表示可能な非常時制御室内表示装置と、
前記プラント制御装置および前記中央操作装置の動作内容の履歴を記憶する非常時制御室内実運転データ記憶装置と、
前記プラント制御装置模擬装置および前記訓練用中央操作装置の動作内容の履歴を記憶する非常時制御室内訓練データ記憶装置と、
前記非常時制御室内表示装置を、前記プラント機器の状況を表示する実運転モードと、前記プラント制御装置模擬装置の状況を表示する訓練モードとの間で切り替える表示切替え器と、
前記表示切替え器が前記実運転モードか前記訓練モードかのいずれの状態にあるかを前記非常時制御室内表示装置に表示する表示切替え状態表示装置と、
を備え、
当該訓練方法は、
前記訓練センターユニットが訓練開始信号を前記非常時制御室ユニットに発する訓練開始ステップと、
前記訓練開始ステップの後に、前記表示切替え器が、前記非常時制御室内表示装置が前記プラント制御装置模擬装置の状況を表示する訓練モードに切り替えるとともに、前記非常時制御室内表示装置が訓練モードの状態にあることを表示する訓練モード動作ステップと、
前記訓練モード動作ステップの途中で前記非常時制御室ユニットが前記中央制御室ユニットからの実運転モード指令信号を受信した場合に、前記表示切替え器が、前記非常時制御室内表示装置が前記プラント機器の状況を表示する実運転モードに切り替えるとともに、前記非常時制御室内表示装置が実運転モードの状態にあることを表示する実運転モード動作ステップと、
を備えること、を特徴とする訓練方法。
【発明の詳細な説明】
【技術分野】
【０００１】
本実施形態は、訓練センターを備えた原子力プラントシステム、およびそれを用いた訓練方法に関する。
【背景技術】
【０００２】
東日本大震災の影響を受けて甚大な被害をもたらした福島第一原子力発電所の事故後には、国主導により規制庁が発足し、原子力発電所をより安全な発電設備とするために新規制基準が制定された。
【０００３】
新規制基準では、特定重大事故が発生した場合に原子炉の炉心溶融および水素爆発を未然に防ぐための減圧設備、冷却設備および非常用電源設備の導入を行うことが求められている。さらに、これらの設備の操作は、地震や放射線の影響を受けにくい緊急時制御室および緊急時対策所（以下、両者を合わせて、「緊急時制御室／緊急時対策所」または「非常時制御室」とも呼ぶ。）を当該原子力発電所の敷地内に設けて、遠隔操作することが求められている。
【０００４】
さらに、運転訓練に対しても新たな要求が加えられており、中央制御室−緊急時制御室／緊急時対策所−本店／自治体を連携した総合的な訓練が求められている。
【先行技術文献】
【特許文献】
【０００５】
【特許文献１】特開２０１４−７７８９６号公報
【特許文献２】特開２００４−１０２９４８号公報
【発明の概要】
【発明が解決しようとする課題】
【０００６】
従来の原子力発電所向け運転訓練シミュレータ装置（運転訓練装置）では、中央制御室や現場盤を模擬対象とし、通常の運転操作や過渡事象への対応操作の訓練を実施していた。運転訓練装置は、運転員の操作習熟訓練を目的とした設備であることから、各発電所内の訓練センターに設置され、模擬対象としている実プラントの設備や緊急時表示装置とは独立していた。
【０００７】
新規制基準では、特定重大事故が発生した際に原子炉の炉心溶融および水素爆発を未然に防ぐための減圧設備、冷却設備および非常用電源設備の導入を行うとともに、これらの設備の操作は、地震や放射線の影響を受けにくい緊急時制御室および緊急時対策所を設けて遠隔操作することが求められ、加えて、実プラントの中央制御室−緊急時制御室／緊急時対策所−本店／自治体を連携した総合的な訓練が新たな要求として挙げられている。
【０００８】
このように、運転訓練シミュレータ装置は、従来の目的に加えて、プラント定常運転時または定期検査時における特定重大事故発生を想定した事前訓練と、実際に特定重大事故が発生した場合の事象再現および復旧対応操作の予測シナリオ訓練を、発電所中央制御室の運転員だけではなく、事故後の対応拠点となる緊急時制御室／緊急時対策所や、遠方にある本店および自治体をも含めた現実の構成下で、総合的に訓練できるよう求められている。
【０００９】
これに対し、従来の運転訓練シミュレータ装置は、一般的に訓練センター内での閉じた訓練設備であった。また、事故後の対応拠点となる緊急時制御室／緊急時対策所や、遠方にある本店／自治体との接続が考慮されていた場合であっても、訓練データと、実プラントの中央制御室で収集される実データの２つの異なるデータ群を別々に管理できないという欠点があった。
【００１０】
このため、従来は、訓練センターで収集された事象データを緊急時制御室／緊急時対策所では蓄積することができず、実データと訓練データを任意に選択し切り替えて、訓練に活用するという新たな要求に応えることはできなかった。
【００１１】
本実施形態は、従来の運転訓練シミュレータ装置の機能に加えて、実プラントの中央制御室と緊急時制御室／緊急時対策所などを連携した総合的な訓練を実施できるようにすることを目的とする。
【課題を解決するための手段】
【００１２】
原子力プラントシステムの一つの実施形態は、原子力プラントを構成する複数のプラント機器を備えた少なくとも一つのプラント機器ユニットと、中央制御室内に配置されて前記プラント機器ユニットそれぞれを制御するプラント制御装置および中央操作装置を含む少なくとも一つの中央制御室ユニットと、前記中央制御室とは別の訓練センター内に配置されて、前記少なくとも一つの中央制御室ユニットを模擬する少なくとも一つの訓練センターユニットと、前記中央制御室および前記訓練センターのいずれとも異なる非常時制御室内に配置された非常時制御室ユニットと、を有する原子力プラントシステムであって、前記訓練センターユニットそれぞれは、前記プラント制御装置を模擬するプラント制御装置模擬装置と、前記中央操作装置を模擬する訓練用中央操作装置と、前記プラント制御装置模擬装置および前記訓練用中央操作装置の動作内容の履歴を記憶する訓練センター内データ記憶装置と、を備え、前記非常時制御室ユニットは、前記プラント機器の状況を表示可能な非常時制御室内表示装置と、前記プラント制御装置および前記中央操作装置の動作内容の履歴を記憶する非常時制御室内実運転データ記憶装置と、前記プラント制御装置模擬装置および前記訓練用中央操作装置の動作内容の履歴を記憶する非常時制御室内訓練データ記憶装置と、前記非常時制御室内表示装置を、前記プラント機器の状況を表示する実運転モードと、前記プラント制御装置模擬装置の状況を表示する訓練モードとの間で切り替える表示切替え器と、前記表示切替え器が前記実運転モードか前記訓練モードかのいずれの状態にあるかを前記非常時制御室内表示装置に表示する表示切替え状態表示装置と、を備えること、を特徴とする。
【００１３】
原子力プラントシステムを用いた訓練方法の一つの実施形態は、原子力プラントを構成する複数のプラント機器を備えた少なくとも一つのプラント機器ユニットと、中央制御室内に配置されて前記プラント機器ユニットそれぞれを制御するプラント制御装置および中央操作装置を含む少なくとも一つの中央制御室ユニットと、前記中央制御室とは別の訓練センター内に配置されて、前記少なくとも一つの中央制御室ユニットを模擬する少なくとも一つの訓練センターユニットと、前記中央制御室および前記訓練センターのいずれとも異なる非常時制御室内に配置された非常時制御室ユニットと、を有する原子力プラントシステムを用いた訓練方法であって、前記訓練センターユニットそれぞれは、前記プラント制御装置を模擬するプラント制御装置模擬装置と、前記中央操作装置を模擬する訓練用中央操作装置と、前記プラント制御装置模擬装置および前記訓練用中央操作装置の動作内容の履歴を記憶する訓練センター内データ記憶装置と、を備え、前記非常時制御室ユニットは、前記プラント機器の状況を表示可能な非常時制御室内表示装置と、前記プラント制御装置および前記中央操作装置の動作内容の履歴を記憶する非常時制御室内実運転データ記憶装置と、前記プラント制御装置模擬装置および前記訓練用中央操作装置の動作内容の履歴を記憶する非常時制御室内訓練データ記憶装置と、前記非常時制御室内表示装置を、前記プラント機器の状況を表示する実運転モードと、前記プラント制御装置模擬装置の状況を表示する訓練モードとの間で切り替える表示切替え器と、前記表示切替え器が前記実運転モードか前記訓練モードかのいずれの状態にあるかを前記非常時制御室内表示装置に表示する表示切替え状態表示装置と、を備え、当該訓練方法は、前記訓練センターユニットが訓練開始信号を前記非常時制御室ユニットに発する訓練開始ステップと、前記訓練開始ステップの後に、前記表示切替え器が、前記非常時制御室内表示装置が前記プラント制御装置模擬装置の状況を表示する訓練モードに切り替えるとともに、前記非常時制御室内表示装置が訓練モードの状態にあることを表示する訓練モード動作ステップと、前記訓練モード動作ステップの途中で前記非常時制御室ユニットが前記中央制御室ユニットからの実運転モード指令信号を受信した場合に、前記表示切替え器が、前記非常時制御室内表示装置が前記プラント機器の状況を表示する実運転モードに切り替えるとともに、前記非常時制御室内表示装置が実運転モードの状態にあることを表示する実運転モード動作ステップと、を備えること、を特徴とする。
【発明の効果】
【００１４】
本実施形態によれば、従来の運転訓練シミュレータ装置の機能に加えて、実プラントの中央制御室と緊急時制御室／緊急時対策所などを連携した総合的な訓練を実施できるようになる。
【図面の簡単な説明】
【００１５】
【図１】第１の実施形態に係る原子力プラントシステムのブロック図。
【図２】第１の実施形態に係る原子力プラントシステムの中央制御室内の構成を示すブロック図。
【図３】第１の実施形態に係る原子力プラントシステムの訓練センター内の構成を示すブロック図。
【図４】第１の実施形態に係る原子力プラントシステムを用いた訓練方法の手順の例を示す概略流れ図。
【図５】第２の実施形態に係る原子力プラントシステムのブロック図。
【図６】第２の実施形態に係る原子力プラントシステムを用いた訓練方法の手順の例を示す概略流れ図。
【図７】第３の実施形態に係る原子力プラントシステムの中央制御室内の構成を示すブロック図。
【図８】第４の実施形態に係る原子力プラントシステムのブロック図。
【図９】第４の実施形態に係る原子力プラントシステムの中央制御室内の構成を示すブロック図。
【図１０】第４の実施形態に係る原子力プラントシステムの訓練センター内の構成を示すブロック図。
【図１１】第５の実施形態に係る原子力プラントシステムの訓練センター内の構成を示すブロック図。
【図１２】第６の実施形態に係る原子力プラントシステムの訓練センター内の構成を示すブロック図。
【図１３】第７の実施形態に係る原子力プラントシステムのブロック図。
【図１４】第８の実施形態に係る原子力プラントシステムのブロック図。
【発明を実施するための形態】
【００１６】
以下、図面を参照して、本発明の実施形態に係る原子力プラントシステムについて説明する。ここで、互いに同一または類似の部分には共通の符号を付して、重複説明は省略する。
【００１７】
［第１の実施形態］
図１は第１の実施形態に係る原子力プラントシステムのブロック図、図２は第１の実施形態に係る原子力プラントシステムの中央制御室内の構成を示すブロック図、図３は第１の実施形態に係る原子力プラントシステムの訓練センター内の構成を示すブロック図である。
【００１８】
ここでは、原子力プラントは、たとえば原子力発電所であるとする。原子力発電所内に複数のプラント機器１１と、中央制御室１２と、訓練センター１３と、緊急時対策所／緊急時制御室（非常時制御室）１４とが配置されている。中央制御室１２内に中央制御室ユニット１５が配置され、訓練センター１３内に訓練センターユニット（運転訓練装置）１６が配置され、緊急時対策所／緊急時制御室１４内に非常時制御室ユニット１７が配置されている。
【００１９】
緊急時対策所／緊急時制御室１４は、原子力発電所の特定重大事故が発生した場合に、原子炉の炉心溶融および水素爆発を未然に防ぐための減圧設備、冷却設備および非常用電源設備の導入を行うとともに、これらの設備の操作を遠隔操作するための場所である。
【００２０】
原子力発電所の敷地外の遠隔地に、その原子力発電所を運営する発電会社の本店および原子力発電所を監督する自治体の監視室（以下、これらを合わせて「遠隔監視室」または「本店等」と呼ぶ。）２０があり、本店等２０内に遠隔ユニット２１が配置されている。
【００２１】
中央制御室ユニット１５は、通常時および事故時にプラント機器１１を監視し操作するものである。訓練センターユニット１６は、中央制御室ユニット１５を監視・操作する運転員を訓練するとともに、事故時に緊急時対策所／緊急時制御室１４内で監視などを行う作業員、事故時に本店等２０内の遠隔ユニット２１を通じて原子力発電所を監視し指示する者などを訓練するための設備である。
【００２２】
中央制御室ユニット１５は、プラント制御装置２４と、種々のプラント機器表示装置２５と、プラント機器表示操作装置２６と、中央操作装置２７と、中央制御室バスライン２８とを備えている。プラント制御装置２４、プラント機器表示装置２５、プラント機器表示操作装置２６、中央操作装置２７は、中央制御室バスライン２８によって互いに接続されている。
【００２３】
プラント制御装置２４はプラント機器１１を制御する。プラント制御装置２４は、ポンプ、操作端等の各設備からの信号を受けて、制御回路やインターロックの制御信号、制御電源を司るもので、各系統設備のプラント機器１１の制御を行う。
【００２４】
プラント機器表示装置２５は、プラント機器１１等の状況を表示する。
【００２５】
プラント機器表示操作装置２６は、発電所内各系統のプロセス監視制御および、プラント制御装置２４への操作指令を行う。プラント機器表示操作装置２６は、プラント機器１１の状況等を表示するとともに運転員からの指示入力を受ける。
【００２６】
中央操作装置２７はプラント全体を操作するものである。
【００２７】
訓練センターユニット１６は、訓練用中央操作装置２９と、プラント制御装置模擬装置３０と、訓練用表示装置３１と、訓練用表示操作装置３２と、緊急時制御装置模擬装置３５と、訓練用緊急時制御装置表示操作装置３８と、訓練センター内データ記憶装置３９と、これらの訓練センターユニット構成機器を互いに接続する訓練センターバスライン４１とを備えている。訓練センターユニット１６は、中央制御室ユニット１５の全体を実物大で模擬するものであって、フルスコープ型運転訓練装置とも呼ばれる。
【００２８】
訓練用中央操作装置２９は、中央操作装置２７を模擬するものであって、中央制御室１２内の中央操作装置２７と同様の主盤・直立盤を含む。
【００２９】
プラント制御装置模擬装置３０はプラント制御装置２４を模擬し、訓練用表示装置３１はプラント機器表示装置２５を模擬し、訓練用表示操作装置３２はプラント機器表示操作装置２６を模擬する。
【００３０】
訓練センターユニット１６はさらにプラント機器モデル４０を備えている。プラント機器モデル４０は、プラント制御装置模擬装置３０に接続されて、プラント機器１１を模擬する。プラント機器モデル４０は、ポンプや操作端の各設備における信号模擬、プラント内センサや配管を流れる気体や液体の流量、圧力や温度などの物性値を、動特性物理モデルにより求めるものである。
【００３１】
訓練用表示操作装置３２は、プラント制御装置模擬装置３０の実行制御、データベース管理、インストラクタ操作指令、裏盤や現場盤のソフト模擬盤操作、プロセス監視制御および、プラント制御装置模擬装置３０への操作指令などを行う。
【００３２】
訓練用緊急時制御装置表示操作装置３８は、緊急時制御装置模擬装置３５の状況を表示してそれを操作する。
【００３３】
緊急時制御装置模擬装置３５は、原子力プラントの事故時に用いられる緊急時機器３３を制御する緊急時制御装置３４を模擬する。緊急時機器３３は、特定重大事故が発生した場合に、原子炉の炉心溶融や水素爆発を未然に防ぐための減圧設備、冷却設備および非常用電源設備などである。緊急時制御装置３４は、後述するように、非常時制御室ユニット１７に含まれる。
【００３４】
訓練センターユニット１６はさらに緊急時機器モデル３７を備えている。緊急時機器モデル３７は、ポンプや操作端の各緊急設備における信号模擬、プラント事故状態でのセンサや配管を流れる気体や液体の流量、圧力や温度などの物性値を動特性物理モデルにより求めるものである。
【００３５】
訓練センター内データ記憶装置３９は、訓練用中央操作装置２９、プラント制御装置模擬装置３０、緊急時制御装置模擬装置３５、訓練用表示操作装置３２などの動作内容の履歴を記憶する。
【００３６】
非常時制御室ユニット１７は、非常時制御室内表示装置４２と、非常時制御室内表示操作装置４３と、非常時制御室内訓練用表示装置４４と、非常時制御室内訓練データ記憶装置４５と、表示切替え器４６と、表示切替え状態表示装置４７と、表示操作切替え器４８と、表示操作切替え状態表示装置４９と、非常時制御室内実運転データ記憶装置５０と、緊急時制御装置３４と、緊急時機器接続装置３６と、非常時制御室内実運転バスライン５１と、非常時制御室内訓練切替えバスライン５２と、非常時制御室内訓練用バスライン５３と、を備えている。
【００３７】
非常時制御室内実運転データ記憶装置５０と緊急時制御装置３４は非常時制御室内実運転バスライン５１に接続されている。非常時制御室内訓練データ記憶装置４５は非常時制御室内訓練切替えバスライン５２に接続されている。
【００３８】
非常時制御室内表示操作装置４３と表示操作切替え状態表示装置４９は、ともに、表示操作切替え器４８の切替えにより、非常時制御室内実運転バスライン５１と非常時制御室内訓練切替えバスライン５２のいずれか一方に接続可能になっている。同様に、非常時制御室内表示装置４２と表示切替え状態表示装置４７は、ともに、表示切替え器４６の切替えにより、非常時制御室内実運転バスライン５１と非常時制御室内訓練切替えバスライン５２のいずれか一方に接続可能になっている。
【００３９】
非常時制御室内実運転バスライン５１は、専用伝送回線１００により中央制御室バスライン２８と接続されている。非常時制御室内訓練切替えバスライン５２は、専用伝送回線１０１により訓練センターバスライン４１と接続されている。
【００４０】
非常時制御室内訓練用表示装置４４は非常時制御室内訓練用バスライン５３に接続されている。非常時制御室内訓練用バスライン５３は、専用伝送回線１０２により訓練センターバスライン４１と接続されている。
【００４１】
非常時制御室内表示装置４２は、プラント機器１１、プラント制御装置２４、中央操作装置２７などの状況を表示可能である。非常時制御室内表示操作装置４３は、緊急時制御装置３４の状況を表示するとともに緊急時制御装置３４を操作することが可能である。非常時制御室内訓練用表示装置４４は、プラント制御装置模擬装置３０および緊急時制御装置模擬装置３５などの状況を表示する。非常時制御室内訓練データ記憶装置４５は、訓練用中央操作装置２９、プラント制御装置模擬装置３０、緊急時制御装置模擬装置３５などの動作内容の履歴を記憶する。
【００４２】
表示切替え器４６は、非常時制御室内表示装置４２を、プラント機器１１などの状況を表示する実運転モード（図１に示す状態）と、プラント制御装置模擬装置３０等の状況を表示する訓練モードとの間で切り替える。すなわち、非常時制御室内表示装置４２は、実運転モードでは非常時制御室内実運転バスライン５１に接続され、訓練モードでは非常時制御室内訓練切替えバスライン５２に接続される。表示切替え状態表示装置４７は、表示切替え器４６が実運転モードか訓練モードかのいずれの状態にあるかを非常時制御室内表示装置４２に表示する。
【００４３】
表示操作切替え器４８は、実運転モードにおいては非常時制御室内表示操作装置４３が緊急時制御装置３４などの状況を表示するとともに緊急時制御装置３４を操作し、訓練モードにおいては非常時制御室内表示操作装置４３がプラント制御装置模擬装置３０および緊急時制御装置模擬装置３５等の状況を表示し操作するように切り替える。非常時制御室内表示操作装置４３は、実運転モードでは非常時制御室内実運転バスライン５１に接続され、訓練モードでは非常時制御室内訓練切替えバスライン５２に接続される。表示操作切替え状態表示装置４９は、表示操作切替え器４８が実運転モードか訓練モードかのいずれの状態にあるかを非常時制御室内表示操作装置４３に表示する。
【００４４】
非常時制御室内実運転データ記憶装置５０は、プラント制御装置２４、中央操作装置２７、緊急時制御装置３４および非常時制御室内表示操作装置４３などの動作内容の履歴を記憶する。
【００４５】
緊急時機器接続装置３６は、原子炉事故などの緊急時に、緊急時機器３３と緊急時制御装置３４とを接続するためのものである。
【００４６】
遠隔ユニット２１は、遠隔表示装置５５と、遠隔訓練用表示装置５６と、遠隔実運転バスライン５７と、遠隔訓練用バスライン５８とを有する。遠隔表示装置５５は遠隔実運転バスライン５７に接続され、遠隔訓練用表示装置５６は遠隔訓練用バスライン５８に接続されている。遠隔実運転バスライン５７は、専用伝送回線１０３により非常時制御室内実運転バスライン５１に接続されている。遠隔訓練用バスライン５８は、専用伝送回線１０４により非常時制御室内訓練用バスライン５３に接続されている。
【００４７】
図４は、第１の実施形態に係る原子力プラントシステムを用いた訓練方法の手順の例を示す概略流れ図である。
【００４８】
初めに、訓練センターユニット１６から非常時制御室ユニット１７に対して訓練モード開始信号が出される（ステップＳ１１）。非常時制御室ユニット１７では、この信号を受けて、訓練モードへの切替えが行われる（ステップＳ３１）。具体的には、非常時制御室１４内の表示操作切替え器４８および表示切替え器４６が訓練モードに切り替えられる。このとき、表示操作切替え状態表示装置４９および表示切替え状態表示装置４７の動作により、非常時制御室内表示操作装置４３および非常時制御室内表示装置４２に、訓練モード状態にあることが表示される。
【００４９】
つぎに、プラント機器１１などに何らかの異常等があって訓練を中止する必要が生じた場合、中央制御室ユニット１５から非常時制御室ユニット１７に対して実運転モード切替え信号が出される（ステップＳ２２）。非常時制御室ユニット１７では、この信号を受けて、実運転モードへの切替えが行われる（ステップＳ３２）。具体的には、表示操作切替え器４８および表示切替え器４６が実運転モードに切り替えられる。このとき、表示操作切替え状態表示装置４９および表示切替え状態表示装置４７の動作により、非常時制御室内表示操作装置４３および非常時制御室内表示装置４２に、実運転モード状態にあることが表示される。
【００５０】
なお、上述の例では、中央制御室ユニット１５からの実運転モード切替え信号に基いて非常時制御室ユニット１７での実運転モードへの切替えが行われるものとしたが、非常時制御室ユニット１７の操作員が自らの判断で実運転モードへの切替えを行なえるようにしてもよい。
【００５１】
上述のように、この第１の実施形態によれば、緊急時対策所／緊急時制御室（非常時制御室）１４で、実運転で使用される非常時制御室内表示操作装置４３および非常時制御室内表示装置４２を用いて、訓練センターユニット１６と連携した訓練を行うことができる。
【００５２】
また、訓練センター１３で実施されている訓練に関するデータ群は、訓練センター内データ記憶装置３９のほか、非常時制御室内訓練データ記憶装置４５に記憶される。一方、中央制御室１２で収集される実プラントのデータ群は、中央制御室１２内の記憶装置（図示せず）に記憶されるとともに、非常時制御室内実運転データ記憶装置５０に記憶される。これにより、訓練のデータ群と実プラントのデータ群とが互いに干渉されることなく、記憶され、管理される。
【００５３】
たとえば、訓練センター１３と非常時制御室１４で訓練が実施されている間であっても、実プラントの中央制御室１２で収集されている実データが欠損することはない。緊急時対策所／緊急時制御室（非常時制御室）１４内の作業員がどちらのデータ群を用いるかは、その作業員が表示操作切替え器４８および表示切替え器４６を操作することにより任意に選択することができる。
【００５４】
また、表示操作切替え器４８および表示切替え器４６の切替え状態が非常時制御室内表示操作装置４３および非常時制御室内表示装置４２に表示されるので、緊急時対策所／緊急時制御室１４内の作業員が誤認するのを防ぐことができる。
【００５５】
［第２の実施形態］
図５は第２の実施形態に係る原子力プラントシステムのブロック図である。中央制御室１２内の構成および訓練センター１３内の構成は、第１の実施形態（図２、図３）と同様である。
【００５６】
この第２の実施形態では、緊急時対策所／緊急時制御室（非常時制御室）１４内に、遠隔表示切替え器６５と遠隔表示切替え状態表示装置６６が配置されている。
【００５７】
遠隔実運転バスライン５７は、専用伝送回線１０３を介して遠隔表示切替え器６５に接続されている。遠隔表示切替え器６５の切替えにより、遠隔実運転バスライン５７は、非常時制御室内実運転バスライン５１と非常時制御室内訓練切替えバスライン５２のうちの一方と選択的に接続可能である。遠隔表示切替え器６５は表示切替え器４６および表示操作切替え器４８と連動して切り替わる。遠隔表示装置５５は、実運転モード（図５の状態）では非常時制御室内実運転バスライン５１に接続され、訓練モードでは非常時制御室内訓練切替えバスライン５２に接続される。遠隔表示切替え状態表示装置６６は、遠隔表示切替え器６５が実運転モードか訓練モードかのいずれの状態にあるかを遠隔表示装置５５に表示する。
【００５８】
上記以外の構成は、第１の実施形態と同様である。
【００５９】
図６は第２の実施形態に係る原子力プラントシステムを用いた訓練方法の手順の例を示す概略流れ図である。
【００６０】
この実施形態では、図６に示すように、初めに、訓練センターユニット１６から非常時制御室ユニット１７に対して訓練モード開始信号が出される（ステップＳ１１）。非常時制御室ユニット１７では、この信号を受けて、訓練モードへの切替えが行われる（ステップＳ３１）。具体的には、表示操作切替え器４８および表示切替え器４６が訓練モードに切り替えられる。このとき、表示操作切替え状態表示装置４９および表示切替え状態表示装置４７の動作により、非常時制御室内表示操作装置４３および非常時制御室内表示装置４２に、訓練モード状態にあることが表示される。
【００６１】
さらに、このとき、遠隔表示切替え器６５が訓練モードに切り替えられる（ステップＳ４１）。すなわち、遠隔実運転バスライン５７は、専用伝送回線１０３および遠隔表示切替え器６５を介して非常時制御室内訓練切替えバスライン５２に接続され、遠隔表示切替え状態表示装置６６は、遠隔表示装置５５に、訓練モード状態にあることを表示させる。
【００６２】
つぎに、プラント機器１１などに何らかの異常等があって訓練を中止する必要が生じた場合、中央制御室ユニット１５から非常時制御室ユニット１７に対して実運転モード切替え信号が出される（ステップＳ２２）。非常時制御室ユニット１７では、この信号を受けて、実運転モードへの切替えが行われる（ステップＳ３２）。具体的には、表示操作切替え器４８および表示切替え器４６が実運転モードに切り替えられる。このとき、表示操作切替え状態表示装置４９および表示切替え状態表示装置４７の動作により、非常時制御室内表示操作装置４３および非常時制御室内表示装置４２に、実運転モード状態にあることが表示される。
【００６３】
さらに、このとき、遠隔表示切替え器６５が実運転モードに切り替えられる（ステップＳ４２）。すなわち、遠隔実運転バスライン５７は、専用伝送回線１０３および遠隔表示切替え器６５を介して非常時制御室内実運転バスライン５１に接続され、遠隔表示切替え状態表示装置６６は、遠隔表示装置５５に、実運転モード状態にあることを表示させる。
【００６４】
なお、上記説明では、遠隔表示切替え器６５と遠隔表示切替え状態表示装置６６が緊急時対策所／緊急時制御室１４内に配置されているものとしたが、変形例として、遠隔表示切替え器６５と遠隔表示切替え状態表示装置６６を本店等２０に配置してもよい。
【００６５】
この第２の実施形態によれば、第１の実施形態と同様の動作を行うことができるほか、訓練センター１３で実施されている訓練のデータと、実プラントの中央制御室１２および緊急時対策所／緊急時制御室（非常時制御室）１４で収集されている実データの異なる二つのデータ群を、専用伝送回線１０３を介して本店等２０で用いることができる。また、これら二つのデータ群は、遠隔表示切替え器６５の切替えによって容易に切り替えることができる。また、本店等２０内の遠隔表示装置５５には、遠隔表示切替え状態表示装置６６の機能によって、実運転モードにあるか訓練モードにあるかが表示されるので、本店等２０内の操作員が現在のモードを誤認することを防ぐことができる。
【００６６】
［第３の実施形態］
図７は第３の実施形態に係る原子力プラントシステムの中央制御室内の構成を示すブロック図である。中央制御室１２内の構成および訓練センター１３内の構成は、第２の実施形態と同様である。
【００６７】
この第３の実施形態では、中央制御室１２内で、イベント判定装置７０が中央制御室バスライン２８に接続されている。他の構成は、第２の実施形態と同様である。
【００６８】
イベント判定装置７０は、プラント機器１１等が所定の異常状態にあるか否かを判定して、異常状態にある場合に、訓練モードから実運転モードへの切り替え指示を、表示切替え器４６、表示操作切替え器４８および遠隔表示切替え器６５（図５参照）に送る。ここで判定される異常状態は、たとえば、原子炉スクラム、主蒸気隔離弁閉、主発電機トリップ、主タービントリップなどである。これらの判定は、発電所内の各系統からのインターロック信号に基いてプラント兆候として判断される。
【００６９】
この第３の実施形態によれば、実プラントの中央制御室１２内のイベント判定装置７０により判断されたイベント判定結果は、専用伝送回線１００を介して、緊急時対策所／緊急時制御室１４内に自動的に通知される。通知されたイベント判定結果に基づき、表示切替え器４６、表示操作切替え器４８および遠隔表示切替え器６５が自動的に実運転モードから訓練モードに切り替えられる。
【００７０】
この第３の実施形態によれば、実プラントのプラント兆候により判断されたイベント判定結果に基づき、発電所内の緊急時対策所／緊急時制御室１４および本店等２０で用いられるべきデータを、オペレータの判断なしに、自動的に実プラントデータに切り替えることが可能となる。
【００７１】
たとえば、訓練センター１３の訓練データを用いて、実プラントの中央制御室１２−緊急時対策所／緊急時制御室１４−本店等２０を連携した防災訓練を実施している最中に、実プラントの原子炉スクラムなどのイベント事象が発生した場合、緊急時対策所／緊急時制御室１４−本店等２０側のデータを実プラントデータへ自動的に、瞬時に切り替えることにより、以降の事故対応操作をより迅速に行うことが可能となる。これにより、訓練中の実プラントの異常事態にも対応でき、実プラントの装置設備を有効に活用した統合運転訓練が可能となる。
【００７２】
［第４の実施形態］
図８は第４の実施形態に係る原子力プラントシステムのブロック図、図９は第４の実施形態に係る原子力プラントシステムの中央制御室内の構成を示すブロック図、図１０は第４の実施形態に係る原子力プラントシステムの訓練センター内の構成を示すブロック図である。この第４の実施形態は第３の実施形態の変形である。
【００７３】
この第４の実施形態では、中央制御室１２内で、中央制御室内ＣＯＰ（Common Operational Picture）表示装置７４およびＣＯＰ支援装置７５が中央制御室バスライン２８に接続されている。中央制御室内ＣＯＰ表示装置７４は、プラント機器表示装置２５やプラント機器表示操作装置２６などの複数の表示画面の内容から、その時点で優先的に対応すべき項目に関する表示内容を選択して一つの画面に表示するものである。
【００７４】
たとえば原子炉の事故時に、多数の表示・警報装置に警報が同時に表示され、中央制御室１２内の運転員が何から優先して行えばよいかがわからなくなることが考えられる。中央制御室内ＣＯＰ表示装置７４は、このような場合に、オペレータにとって特に重要な情報を整理して表示するものである。通常、中央制御室内ＣＯＰ表示装置７４としては、中央制御室１２内の他の表示装置よりも大画面の表示装置である。ＣＯＰ支援装置７５は中央制御室内ＣＯＰ表示装置７４に上記表示をさせるためのものである。
【００７５】
訓練センター１３内で、訓練センターバスライン４１に、訓練センター内ＣＯＰ表示装置７７とＣＯＰ支援装置模擬装置７８が接続されている。ＣＯＰ支援装置模擬装置７８はＣＯＰ支援装置７５を模擬するＣＯＰ機能支援エンジンであり、訓練センター内ＣＯＰ表示装置７７は中央制御室内ＣＯＰ表示装置７４を模擬する。
【００７６】
緊急時対策所／緊急時制御室（非常時制御室）１４内に、非常時制御室内ＣＯＰ表示装置７９と、ＣＯＰ表示切替え器８０と、ＣＯＰ表示切替え状態表示装置８１が配置されている。
【００７７】
ＣＯＰ表示切替え器８０は、非常時制御室内ＣＯＰ表示装置７９の表示内容を、実運転モード（図８に示す状態）と訓練モードに切り替えるものである。非常時制御室内ＣＯＰ表示装置７９は、ＣＯＰ表示切替え器８０の切替えにより、実運転モードにおいては非常時制御室内実運転バスライン５１に接続され、訓練モードにおいては非常時制御室内訓練切替えバスライン５２に接続される。
【００７８】
本店等２０内で、遠隔ＣＯＰ表示装置８２が遠隔実運転バスライン５７に接続されている。
【００７９】
第４の実施形態で以上説明した以外の部分の構成は第３の実施形態と同様である。
【００８０】
この第４の実施形態では、緊急時対策所／緊急時制御室１４内のＣＯＰ表示切替え器８０を訓練モードに切り替えることにより、訓練センター１３内のＣＯＰ支援装置７５は、実施されている訓練シナリオと、過去に経験した訓練結果に基づき、特定重大事故の進展に沿ったガイダンス情報を最適化する。その結果は、緊急時対策所／緊急時制御室１４内の非常時制御室内ＣＯＰ表示装置７９に訓練用として表示される。
【００８１】
訓練センター１３では、新規制基準に基づいた、特定重大事故が発生した場合の原子炉の炉心溶融および水素爆発を未然に防ぐための減圧設備、冷却設備および非常用電源設備の設備導入に対応した事故時訓練をモデル化している。これらの緊急時設備の操作は、地震や放射線の影響を受けにくい緊急時対策所／緊急時制御室１４内にて、遠隔操作することが求められているが、特定重大事故のような混乱状況下における、意思決定や情報共有が最も重要となる局面でのプロセスは、ＣＯＰ機能を支援する非常時制御室内ＣＯＰ表示装置７９を用いて訓練することができる。
【００８２】
また、緊急時対策所／緊急時制御室１４内の非常時制御室内ＣＯＰ表示装置７９の情報は、実プラントの中央制御室１２、訓練センター１３および本店等２０内の各ＣＯＰ表示装置、すなわち、中央制御室内ＣＯＰ表示装置７４、訓練センター内ＣＯＰ表示装置７７および遠隔ＣＯＰ表示装置８２を介して相互に情報共有される。
【００８３】
この実施形態によれば、新規制基準に基づいた、特定重大事故が発生した場合の原子炉の炉心溶融および水素爆発を未然に防ぐための減圧設備、冷却設備および非常用電源設備の設備導入に対応した事故時訓練において、事故後の対応操作における意思決定や情報共有のためのＣＯＰ支援機能を含めて訓練を行うことができる。さらに、実施されている訓練シナリオと、過去の訓練結果に基づいた、最適なガイダンス情報を提供するＣＯＰ機能支援エンジンを用いて、特定重大事故訓練を行うことが可能となる。
【００８４】
これにより、特定重大事故が発生した場合を想定した、実プラントの中央制御室−緊急時対策所／緊急時制御室−本店／自治体を連携した、各所での統括的な訓練を合理的に行うことができる。
【００８５】
［第５の実施形態］
図１１は第５の実施形態に係る原子力プラントシステムの訓練センター内の構成を示すブロック図である。この実施形態は第４の実施形態の変形である。この第５の実施形態では、訓練センター１３内の緊急時機器モデル３７（図１０参照）に代えて実際の緊急時機器３３ａを用いる。この第５の実施形態では、訓練センター１３内に模擬緊急時機器接続装置８５が配置されている。模擬緊急時機器接続装置８５は、緊急時制御装置模擬装置３５に接続されていて、緊急時機器接続装置３６（図８参照）を模擬するものである。
【００８６】
第５の実施形態で以上説明した以外の部分の構成は第４の実施形態と同様である。
【００８７】
この第５の実施形態では、特定重大事故の発生を想定した訓練において、緊急時機器３３ａを、訓練センター１３内の緊急時制御装置模擬装置３５に接続する訓練も行うことができる。緊急時制御装置模擬装置３５は、緊急時機器３３ａからの信号を、模擬緊急時機器接続装置８５を経由して受け、制御回路やインターロックの制御信号・制御電源を模擬し、緊急時機器３３ａを制御する。
【００８８】
この第５の実施形態によれば、新規制基準に基づいた、特定重大事故が発生した場合の原子炉の炉心溶融および水素爆発を未然に防ぐための減圧設備、冷却設備および非常用電源設備の設備導入に対応した事故時訓練において、実プラントで実際に使用される緊急時機器３３ａを模擬緊急時機器接続装置８５に接続し、訓練シナリオを実施することが可能となる。
【００８９】
この第５の実施形態によれば、機器モデルによる模擬に代えて、実際の緊急時機器３３ａを模擬緊急時機器接続装置８５に接続することにより、実プラントと連携した統括的な訓練を合理的に可能とすることができる。
【００９０】
［第６の実施形態］
図１２は第５の実施形態に係る原子力プラントシステムの訓練センター内の構成を示すブロック図である。この実施形態は第５の実施形態の変形である。この第６の実施形態では、訓練センター１３内に模擬緊急時電源接続装置８８および模擬緊急時給水接続装置８９が配置されている。
【００９１】
模擬緊急時電源接続装置８８はプラント制御装置模擬装置３０および緊急時制御装置模擬装置３５に接続されている。模擬緊急時電源接続装置８８は、緊急時電源接続装置（図示せず）を模擬するものである。緊急時電源接続装置は、所内電源停止を伴う原子炉事故等の緊急時に、プラント制御装置２４（図９）や緊急時制御装置３４（図８）などに電力を電源車（図示せず）から供給するための接続装置である。模擬緊急時電源接続装置８８は、たとえば、電源車を模擬する電源車モックアップ（図示せず）に接続される。
【００９２】
模擬緊急時給水接続装置８９は、原子炉事故等の緊急時にプラントに外部（給水車など）から給水を行うための緊急時給水接続装置（図示せず）を模擬するものである。模擬緊急時給水接続装置８９は、たとえば、給水車を模擬する給水車モックアップ（図示せず）に接続される。
【００９３】
第６の実施形態で以上説明した以外の部分の構成は第５の実施形態と同様である。
【００９４】
この第６の実施形態によれば、実プラントにおいて特定重大事故が発生した場合に原子炉の炉心溶融や水素爆発を未然に防ぐための減圧設備、冷却設備および非常用電源設備と併せて、実際に使用が想定される電源車や給水車のモックアップを、訓練センター１３内のプラント制御装置模擬装置３０または緊急時制御装置模擬装置３５と接続し、訓練を行うことができる。
【００９５】
プラント制御装置模擬装置３０または緊急時制御装置模擬装置３５は、給水車や電源車のモックアップからの信号を受けて、制御回路やインターロックの制御信号・制御電源を模擬し、プラント機器モデル４０または緊急時機器３３ａを制御する。
【００９６】
本実施形態によれば、新規制基準に基づいた、特定重大事故が発生した場合の原子炉の炉心溶融および水素爆発を未然に防ぐための減圧設備、冷却設備および非常用電源設備の設備導入に対応した事故時訓練において、実プラントで実際に使用が想定される給水車や電源車などのモックアップを運転訓練センターユニット１６に接続し、訓練シナリオを実施することが可能となる。実際の緊急時機器をモックアップ化し接続することで実プラントと連携した統括的な訓練を合理的に可能とすることができる。
【００９７】
［第７の実施形態］
図１３は第７の実施形態に係る原子力プラントシステムのブロック図である。この実施形態は第６の実施形態の変形である。この第７の実施形態では、一つの原子力発電所の敷地内に２基の原子炉が設置され、これらの原子炉それぞれが複数のプラント機器１１を有している。以下、１基の原子炉に対応する１群のプラント機器１１をプラント機器ユニットとも称する。
【００９８】
中央制御室１２内に２個の中央制御室ユニット１５が配置されている。２個の中央制御室ユニット１５は、それぞれが１個のプラントユニットに対応している。中央制御室ユニット１５それぞれの構成は第４〜６の実施形態の中央制御室ユニット１５（図９参照）と同様である。各中央制御室ユニット１５の中央制御室バスライン２８は専用伝送回線１００によって、非常時制御室内実運転バスライン５１に接続されている。
【００９９】
訓練センター１３内に２個の訓練センターユニット（フルスコープ型運転訓練装置）１６が配置されている。２個の訓練センターユニット１６は、２個の中央制御室ユニット１５にそれぞれ対応するものである。２個の訓練センターユニット１６それぞれの構成は第６の実施形態における訓練センターユニット１６（図１２参照）と同様である。これらの訓練センターユニット１６はそれぞれが中央制御室ユニット１５の全体を実物大で模擬するフルスコープ型運転訓練装置である。
【０１００】
２個の訓練センターユニット１６それぞれの訓練センターバスライン４１は、訓練センター内連携装置９２によって連携している。訓練センター内連携装置９２は、それぞれ専用伝送回線１０１、１０２によって、非常時制御室内訓練切替えバスライン５２および非常時制御室内訓練用バスライン５３に接続されている。
【０１０１】
第７の実施形態で以上説明した以外の部分の構成は第６の実施形態と同様である。
【０１０２】
第７の実施形態では、訓練センター１３内にて発電所の各ユニットを模擬した複数の訓練センターユニット１６を用い、運転訓練や特定重大事故が発生した場合の訓練を行うことができる。そして、これらの複数の訓練センターユニット１６は、訓練センター内連携装置９２を介すことで、実プラントと同様に、ユニット間の設備を連携することができる。
【０１０３】
たとえば、中央制御室１２に２個の中央制御室ユニット１５が配置された構成の場合、事故発生時の電源確保のために、運転員は、ユニット間の所内電源融通ライン（図示せず）を相互に確認しながら復旧操作にあたる。
【０１０４】
第７の実施形態では、実プラントと同様に、ユニット間電源融通ラインを確立させる対応操作を訓練することができる。さらに、対応操作による相互の影響は、それぞれの訓練センターユニット１６のプラント機器モデル４０により潮流計算から求められ、各ユニットへフィードバックされる。
【０１０５】
これらの複数のユニット間を連携した訓練データは、専用伝送回線１００〜１０４を介して、緊急時対策所／緊急時制御室１４や、実プラントの中央制御室１２および本店等２０内で共有され、各所との連携した一連の訓練を行うことができる。
【０１０６】
第７の実施形態によれば、各ユニットを模擬した複数の訓練センターユニット（フルスコープ型運転訓練装置）１６同士を連携させる訓練センター内連携装置９２を用いることにより、複数のユニットが相互に関係する訓練シナリオや、対応操作の訓練を実施することが可能となる。
【０１０７】
東日本大震災の際の大規模な自然災害のように、影響が単一ユニットに限定されない事故の場合、複数のユニットが複雑に関係する事象が発生する。また、新規制基準に基づいた、特定重大事故が発生した場合の原子炉の炉心溶融および水素爆発を未然に防ぐための減圧設備、冷却設備および非常用電源設備の設備導入に対応した事故時訓練は、同じ原子力発電所内の各ユニット間の密接な連携が重要となる。この実施形態により、複数ユニット間の連携を想定した、中央制御室−緊急時対策所／緊急時制御室−本店／自治体を含めた、各所での統括的な訓練を合理的に可能とすることができる。
【０１０８】
以上の説明では、一つの原子力発電所に２基の原子炉（２群のプラント機器ユニット）が設置される場合について説明したが、３基以上の原子炉（３群以上のプラント機器ユニット）が設置される場合にも同様に適用できる。
【０１０９】
［第８の実施形態］
図１４は第８の実施形態に係る原子力プラントシステムのブロック図である。この実施形態は第７の実施形態の変形である。
【０１１０】
緊急時対策所／緊急時制御室（非常時制御室）１４内に、非常用訓練ユニット連携装置９５と、訓練装置選択装置９６とが配置されている。非常用訓練ユニット連携装置９５には、それぞれに可搬型訓練装置（非常用訓練ユニット）９７を接続可能な２個の非常用訓練ユニット接続部９８が接続されている。非常用訓練ユニット連携装置９５は、非常時制御室内訓練切替えバスライン５２に接続され、非常用訓練ユニット連携装置９５と専用伝送回線１０１の一方に選択的に接続される。専用伝送回線１０１は訓練センター内連携装置９２に接続されている。
【０１１１】
訓練センター１３内の訓練センターユニット（フルスコープ型運転訓練装置）１６の代替手段として、緊急時対策所／緊急時制御室１４内に、非常用訓練ユニット連携装置９５を介して接続された複数の可搬型訓練装置９７を設けている。複数の可搬型訓練装置９７にはそれぞれ、発電所内の各ユニットに関わる特定重大事故のための訓練シナリオを含む、訓練センターユニット（フルスコープ型運転訓練装置）１６と同じ訓練が可能なシミュレーション機能とインターフェースが実装されている。
【０１１２】
たとえば、原子炉事故等によって訓練センター１３が運用できない場合においても、緊急時対策所／緊急時制御室１４内の訓練装置選択装置９６を切り替え、複数の可搬型訓練装置９７を用いることで、発電所内の複数ユニットのシミュレーション装置と、実プラントの中央制御室１２および本店等２０を連携した一連の訓練を継続して行うことができる。
【０１１３】
これにより、新規制基準に基づいた、特定重大事故が発生した場合の原子炉の炉心溶融および水素爆発を未然に防ぐための減圧設備、冷却設備および非常用電源設備の設備導入に対応した事故時訓練や、実際に特定重大事故が発生した場合の事象再現および復旧対応操作の予測シナリオ訓練を、特定重大事故後の対応拠点となる緊急時制御室／緊急時対策所１４にて、継続して実施することが可能となる。
【０１１４】
［他の実施形態］
以上説明した各実施形態の特徴は、これらを適宜組み合わせてもよい。
【０１１５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１６】
１１…プラント機器、  １２…中央制御室、  １３…訓練センター、  １４…緊急時対策所／緊急時制御室（非常時制御室）、  １５…中央制御室ユニット、  １６…訓練センターユニット（運転訓練装置、運転訓練シミュレータ装置）、  １７…非常時制御室ユニット、  ２０…本店等（遠隔監視室）、  ２１…遠隔ユニット、  ２４…プラント制御装置、  ２５…プラント機器表示装置、  ２６…プラント機器表示操作装置、  ２７…中央操作装置、  ２８…中央制御室バスライン、  ２９…訓練用中央操作装置、  ３０…プラント制御装置模擬装置、  ３１…訓練用表示装置、  ３２…訓練用表示操作装置、  ３３，３３ａ…緊急時機器、  ３４…緊急時制御装置、  ３５…緊急時制御装置模擬装置、  ３６…緊急時機器接続装置、  ３７…緊急時機器モデル、  ３８…訓練用緊急時制御装置表示操作装置、  ３９…訓練センター内データ記憶装置、  ４０…プラント機器モデル、  ４１…訓練センターバスライン、  ４２…非常時制御室内表示装置、  ４３…非常時制御室内表示操作装置、  ４４…非常時制御室内訓練用表示装置、  ４５…非常時制御室内訓練データ記憶装置、  ４６…表示切替え器、  ４７…表示切替え状態表示装置、  ４８…表示操作切替え器、  ４９…表示操作切替え状態表示装置、  ５０…非常時制御室内実運転データ記憶装置、  ５１…非常時制御室内実運転バスライン、  ５２…非常時制御室内訓練切替えバスライン、  ５３…非常時制御室内訓練用バスライン、  ５５…遠隔表示装置、  ５６…遠隔訓練用表示装置、  ５７…遠隔実運転バスライン、  ５８…遠隔訓練用バスライン、  ６５…遠隔表示切替え器、  ６６…遠隔表示切替え状態表示装置、  ７０…イベント判定装置、  ７４…中央制御室内ＣＯＰ表示装置、  ７５…ＣＯＰ支援装置、  ７７…訓練センター内ＣＯＰ表示装置、  ７８…ＣＯＰ支援装置模擬装置、  ７９…非常時制御室内ＣＯＰ表示装置、  ８０…ＣＯＰ表示切替え器、  ８１…ＣＯＰ表示切替え状態表示装置、  ８２…遠隔ＣＯＰ表示装置、  ８５…模擬緊急時機器接続装置、  ８８…模擬緊急時電源接続装置、  ８９…模擬緊急時給水接続装置、  ９２…訓練センター内連携装置、  ９５…非常用訓練ユニット連携装置、  ９６…訓練装置選択装置、  ９７…可搬型訓練装置（非常用訓練ユニット）、  ９８…非常用訓練ユニット接続部、  １００，１０１，１０２，１０３，１０４…専用伝送回線
【図１】
2018087746.tif 000003
【図２】
2018087746.tif 000004
【図３】
2018087746.tif 000005
【図４】
2018087746.tif 000006
【図５】
2018087746.tif 000007
【図６】
2018087746.tif 000008
【図７】
2018087746.tif 000009
【図８】
2018087746.tif 000010
【図９】
2018087746.tif 000011
【図１０】
2018087746.tif 000012
【図１１】
2018087746.tif 000013
【図１２】
2018087746.tif 000014
【図１３】
2018087746.tif 000015
【図１４】
2018087746.tif 000016